(57)【要約】【課題】包装袋の開封性に優れ、かつ、紙おむつを一枚ごと取り出し易い開封取出線を有する紙おむつ包装袋とする。【解決手段】側面２から前面３に繋がり、その前面３の裾に向かって、紙おむつＰの取り出し用のほぼアーチ状のミシン目７を形成する。このアーチ状のミシン目７は、ゆるやかな裾拡がり天部７ｂと、これに繋がって水平稜８Ａに平行に前面３に形成された開き部７ｃとを有する。開き部７ｃ間の離間幅Ｗは、紙おむつＰの軸線方向長さＨに対して７０％〜９５％とされ、各開き部７ｃの長さは、前面３の水平長さの１／５〜３／５とされる。紙おむつＰは腰回り部分を上又は下にして収容される。【選択図】図１
2006347633.tif 000002
【特許請求の範囲】
【請求項１】
プラスチックフィルムによる、天地面、前後面および両側面を有するほぼ直方体の袋体を形成し、その内部に前記一方の側面から他方の側面にわたって、多数の紙おむつを圧縮状態でかつ縦向きに重ね合わせた状態で収容した紙おむつの包装袋において、
前記一方の側面から前後面の一方の面に繋がり、その前後面の一方の面の裾に向かって、前記紙おむつの取り出し用のほぼアーチ状のミシン目または切れ目が形成され、
このアーチ状のミシン目または切れ目は、ゆるやかな裾拡がり天部と、これに繋がって水平稜に平行に前記前面に形成された開き部とを有し、これら開き部間の離間幅は、前記紙おむつの軸線方向長さに対して７０％〜９５％とされ、前記各開き部の長さは、前記前面の水平長さの１／５〜３／５とされており、
前記紙おむつは腰回り部分を上又は下にして収容される、ことを特徴とする開封取出線を有する紙おむつ包装袋。
【請求項２】
前記天面に、前記側面近傍からその側面の裾に向かって、前記紙おむつの取り出し用のほぼアーチ状のミシン目または切れ目が形成されている、請求項１記載の開封取出線を有する紙おむつ包装袋。
【請求項３】
前記天地面がまち部分とされている、請求項２又は請求項３記載の開封取出線を有する紙おむつ包装袋。
【発明の詳細な説明】
【技術分野】
【０００１】
本発明は、圧縮状態で多数の紙おむつを収容する開封取出線を有する紙おむつ包装袋に関する。
【背景技術】
【０００２】
多数枚の紙おむつの包装形態として、ガゼット袋が一般に使用されている。さらに、近年においては、一袋単位の紙おむつの収納枚数を多くするために、紙おむつを圧縮状態で包装するいわゆる圧縮（コンパクション）包装が汎用されている。また、持ち運びに便利なように、把手部を形成したり、手提げバンドを別に付けたものも市販されている。
現在市販の代表的な包装形態を図６および図７に示す。図６に示す先行例１のものは、多数の紙おむつを圧縮状態でかつ縦向きに重ね合わせた状態で収容した紙おむつの包装袋の前面３に破断用ミシン目５１を縦向きを形成したものである。
図７に示す先行例２のものは、天面５から前後面３，４に連続して破断用ミシン目５２を形成したものである。この図７に示す先行例２の変形例としては、特許文献１および特許文献２に示すように、把手を形成したり、手提げバンドを設けたものがある。
しかしながら、先行例１では、破断用ミシン目５１を破断して開口させたときの開口部面積が小さく、取り出しを行い難い。
先行例２（変形例も含めて）は、取り出し性は先行例１のものより容易であるが、アコーディオンの上側を開いたように、紙おむつ群の上部において紙おむつ相互の接触面が緩み、紙おむつを摘み易いものの、下部においては、圧縮状態のままであり、相変わらず密に接触しているために、一つの紙おむつを取り出す際に隣接する紙おむつも引き出されがちとなり、全体の型崩れが生じ易い。また、誤って破断用ミシン目５２を大きく開いてしまった場合には、圧縮状態が解放されて端部からばらけ出ることがある。しかも、整列させた紙おむつの途中のものから取り出すこととなり、複数枚を取り出した状態では、全体の一方のはじの紙おむつ群と他方のはじ側の紙おむつ群が破断用ミシン目５２部分に向かって倒れ込み、型崩れが生じる。
【特許文献１】特開平７−１８７１９７号公報
【特許文献２】特開平７−１８７１９８号公報
【発明の開示】
【発明が解決しようとする課題】
【０００３】
本発明の主たる課題は、包装袋の開封性に優れ、かつ、紙おむつを一枚ごと取り出し易い包装形態を提供することにある。
【課題を解決するための手段】
【０００４】
この課題を解決した本発明は、次のとおりである。
〔請求項１記載の発明〕
プラスチックフィルムによる、天地面、前後面および両側面を有するほぼ直方体の袋体を形成し、その内部に前記一方の側面から他方の側面にわたって、多数の紙おむつを圧縮状態でかつ縦向きに重ね合わせた状態で収容した紙おむつの包装袋において、
前記一方の側面から前後面の一方の面に繋がり、その前後面の一方の面の裾に向かって、前記紙おむつの取り出し用のほぼアーチ状のミシン目または切れ目が形成され、
このアーチ状のミシン目または切れ目は、ゆるやかな裾拡がり天部と、これに繋がって水平稜に平行に前記前面に形成された開き部とを有し、これら開き部間の離間幅は、前記紙おむつの軸線方向長さに対して７０％〜９５％とされ、前記各開き部の長さは、前記前面の水平長さの１／５〜３／５とされており、
前記紙おむつは腰回り部分を上又は下にして収容される、ことを特徴とする開封取出線を有する紙おむつ包装袋。
【０００５】
〔請求項２記載の発明〕
前記天面に、前記側面近傍からその側面の裾に向かって、前記紙おむつの取り出し用のほぼアーチ状のミシン目または切れ目が形成されている、請求項１記載の開封取出線を有する紙おむつ包装袋。
【０００６】
〔請求項３記載の発明〕
前記天地面がまち部分とされている、請求項２又は請求項３記載の開封取出線を有する紙おむつ包装袋。
【発明の効果】
【０００７】
本発明によれば、包装袋の開封性に優れ、かつ、紙おむつを一枚ごと取り出し易い、さらにはじの紙おむつから順次取り出すことが可能であり、収納状態の型崩れがし難いなどの利点がもたらされる。
【発明を実施するための最良の形態】
【０００８】
以下、図面に示す実施の形態に基づいて本発明をさらに詳説する。
（第１の実施の形態）
図１および図２に本発明の第１の実施の形態を示す。第１の実施の形態に係るガゼット包装袋１は、たとえばポリエチレンなどの筒状プラスチックチューブの両側を各々谷折りしてまちを形成し、かつ所定長に切断した上下端部をヒートシールしてほぼ直方体形状としたものである。これにより左右側面２，２、前面３、後面４、天面５および下面６が形成される。
【０００９】
本発明に従って、一方の側面２から前後面の一方の面、図示例では前面３に繋がり、その前面３の裾に向かって、紙おむつＰの取り出し用のほぼアーチ状のミシン目７が形成されている。
【００１０】
紙おむつＰとしては、図２に示されているように、たとえばパンツ型紙おむつであり、腰回り部分を下にして、一方の側面２から他方の側面２にわたって、多数の紙おむつＰ，Ｐ…を圧縮状態でかつ縦向きに重ね合わせた状態で収納されている。
【００１１】
第１の実施の形態に限らず全ての実施の形態においてミシン目に代えて使用者の操作により破断可能な切れ目であってもよい。アーチ状のミシン目７の具体例としては、図示されているように、アーチの天部に膨出する指入れ切離し用部分７ａと、これに繋がるゆるやかな裾拡がり天部７ｂ，７ｂと、これに繋がって水平稜８Ａ，８Ａに平行に前面３に形成された開き部７ｃ，７ｃとを有する。
【００１２】
ここで、開き部７ｃ，７ｃ間の離間幅Ｗは、紙おむつＰの軸線方向長さＨに対して、７０％〜９５％であるのが望ましい。７０％未満では、取り出し性が劣り、９５％を超えると残余部分が少なくなるので、一枚の紙おむつＰを取り出す際に、隣接する紙おむつも同伴して取り出されがちとなる。
【００１３】
開封に際しては、たとえば指先を指入れ切離し用部分７ａで囲まれる部分に強く押し込み、指入れ切離し用部分７ａを破断した後、そこを摘みながら、側面２から前面３に沿って引き剥がす。この過程で、天部７ｂ，７ｂおよび開き部７ｃ，７ｃが順次破断する。
【００１４】
たとえば、図２に示されているように、前面３の水平長さの１／２程度まで破断した後、はじの紙おむつＰから順次取り出す。この場合、紙おむつＰの軸線方向長さ方向のほぼ全体が隣接する紙おむつＰに対して緩むので、取り出しがきわめて容易であることが知見されている。また、先行例２のように、整列した紙おむつ群の途中のものから取り出すのではなく、ミシン目７が側面２から繋がっているので、はじの紙おむつから順次取り出すことができる。
【００１５】
開き部７ｃ，７ｃの長さとしては、前面３の水平長さの１／５〜３／５が好適であることを知見している。開き部７ｃ，７ｃの長さが短いと、紙おむつの取り出し性が悪化し、過度に長いと、残余の紙おむつ群の型崩れがし易い。
【００１６】
（第２の実施の形態）
図３は第２の実施の形態を示したもので、天面５および下面６をまち部分とし、かつ、天面５に、側面２近傍からその側面の裾に向かって、紙おむつＰの取り出し用のほぼアーチ状のミシン目７０または切れ目を形成し、この補助用ミシン目７０を開封しても、紙おむつＰを取り出すことができるようにしたものである。
【００１７】
（第３の実施の形態）
図４は第３の実施の形態を示したもので、上部シール部に適宜の形状の把手部１１を切欠したものである。また、図示されているように、上部シール部の上下に補強用部材１０，１０を介在させて一体化することもできる。
【００１８】
（第４の実施の形態）
図５は第４の実施の形態を示したもので、天面５側に縦面（両側面２，２および前後面３，４）から延びるリブ部２２を形成し、この前後リブ部２２，２２に、手提げループ２０，２０の各両端部を適宜の結合手段２１，２１により取付けたものである。
他方、ミシン目７Ａの形状として、一方の側面２と前面３との境界稜、すなわち縦稜８Ｂ部分において、アーチの基本線から膨出する指入れ切離し用部分７ａを形成してある。
他の実施の形態においては、側面２の中央に指入れ切離し用部分７ａを形成してあるが、紙おむつＰ，Ｐ…は圧縮状態で収納されているので、その抵抗により、指入れ切離し用部分７ａを破断することに若干の困難性を伴うのに対して、この第４の実施の形態のようにミシン目７Ａを形成すると、指入れ切離し用部分７ａが存在する箇所においては、紙おむつＰ，Ｐ…の圧縮状態が弱いために、指入れ切離し用部分７ａの破断が容易である。
【００１９】
（その他）
紙おむつＰは腰バンド側を上にしてもよい。紙おむつとして、パンツ型のものに限らず、テープ式紙おむつであってもよく、本発明の効果に相違はない。本発明のアーチ形状とは、例示のものに限定されることなく、たとえば逆Ｕ字状のものであってもよい。
【産業上の利用可能性】
【００２０】
本発明は、圧縮状態で多数の紙おむつを収容する開封取出線を有する紙おむつ包装袋として適用可能である。
【図面の簡単な説明】
【００２１】
【図１】本発明の第１の実施の形態を示す斜視図である。
【図２】紙おむつの開封取り出し状態斜視図である。
【図３】本発明の第２の実施の形態を示す斜視図である。
【図４】本発明の第３の実施の形態を示す斜視図である。
【図５】本発明の第４の実施の形態を示す斜視図である。
【図６】先行例１の概要斜視図である。
【図７】先行例２の概要斜視図である。
【符号の説明】
【００２２】
１…包装袋、２…側面、３…前面、４…後面、５…天面、６…下面、７，７Ａ…ミシン目、７ａ…指入れ切離し用部分、７ｂ…裾拡がり天部、７ｃ…開き部、８Ａ…水平稜、８Ｂ…縦稜。
【図１】
2006347633.tif 000003
【図２】
2006347633.tif 000004
【図３】
2006347633.tif 000005
【図４】
2006347633.tif 000006
【図５】
2006347633.tif 000007
【図６】
2006347633.tif 000008
【図７】
2006347633.tif 000009